(57)【要約】【課題】  シーリングプレートの筒部の高さ寸法の違いや、シーリングプレートとスプリンクラーヘッドとの接続構造が異なる場合でも一つの取付工具を用いて取付作業を行うことができる取付工具を提供する。【解決手段】  筒状をした本体１と、本体１の上部に形成されシーリングプレートＣ１が載置されるフランジ状の保持部３と、本体１の下部には棒状部材２との接続部６とを備えており、本体１にシーリングプレートＣ１を目視可能な開口５を形成した。あるいは保持部３の表面に弾性を有する軟質部材４を設置した。【選択図】    図１
2015029663.tif 000002
【特許請求の範囲】
【請求項１】
筒状をした本体と、
本体の上部に形成されシーリングプレートが載置されるフランジ状の保持部と、
本体の下部には棒状部材との接続部を備えており、
本体にシーリングプレートを目視可能な開口を形成したことを特徴とするスプリンクラーヘッド付属品取付工具。
【請求項２】
前記開口が、本体の側面または底面に形成されている請求項１記載のスプリンクラーヘッド付属品取付工具。
【請求項３】
筒状をした本体と、
本体の上部に形成されシーリングプレートが載置されるフランジ状の保持部と、
本体の下部には棒状部材との接続部を備えており、
保持部の表面に弾性を有する軟質部材が設置されていることを特徴とするスプリンクラーヘッド付属品取付工具。
【請求項４】
軟質部材の表面に凸凹を有する請求項３記載のスプリンクラーヘッド付属品取付工具。
【請求項５】
前記本体の内部に発光部材を備える請求項１〜請求項４の何れか１項記載のスプリンクラーヘッド付属品取付工具。
【発明の詳細な説明】
【技術分野】
【０００１】
本発明は、スプリンクラーヘッド付属品を天井に設置されたスプリンクラーヘッドに取り付けるための取付工具に関するものである。
【背景技術】
【０００２】
スプリンクラーヘッドは主に天井内に備えられた配管に接続されており、天井板に開けた穴からスプリンクラーヘッドの下部のみが室内側に露出して設置されている。スプリンクラーヘッド付属品はスプリンクラーヘッドが挿通されている天井板の穴を覆い隠すものであり、その一例としてシーリングプレートがあげられる。
【０００３】
図７に示すシーリングプレートは、皿状部６５と筒部６４とから成り、皿状部６５によって天井穴を隠す。筒部６４はスプリンクラーヘッド５９の外周面に形成された溝６０を有しており、筒部６４の内周面に形成された環状突起６７と溝６０が係合可能に形成されている。
【０００４】
上記のシーリングプレートをスプリンクラーヘッドに取付けるための工具として特許文献１に記載のものがある。図７に示す特許文献１記載の補助具５０は、棒状材５２の一端側に装着具５４を備えており、装着具５４にはシーリングプレート６３を載置可能な皿状の保持体６２が設けられている。
【０００５】
特許文献１の補助具５０を用いてシーリングプレート６３を天井面に設置されたスプリンクラーヘッド５９に取付ける手順を説明する。まず保持体６２の上にシーリングプレート６３の皿状部６５を載置する。その状態で補助具５０を操作し、シーリングプレート６３をスプリンクラーヘッド５９に近づける。シーリングプレート６３の筒部とスプリンクラーヘッド５９が同軸となるようにシーリングプレート６３の筒部６４をスプリンクラーヘッド５９に押し込む。スプリンクラーヘッド５９の外周面に刻設された溝６０とシーリングプレート６３内部の環状突起６７が係合してシーリングプレート６３がスプリンクラーヘッド５９に装着される。
【０００６】
図７に示すシーリングプレート６３においては、保持体６２の上に載置されたシーリングプレート６３の筒部６４の先端を目視確認しながらスプリンクラーヘッド５９との位置を調整することができたが、シーリングプレートの筒部の高さが図７のシーリングプレートよりも低いものについてはシーリングプレートの筒部の先端が目視確認できず、スプリンクラーヘッドへの取付作業を難しくしていた。
【０００７】
また、図７のシーリングプレート６３とスプリンクラーヘッド５９は、環状突起６７と溝６０の係合によりシーリングプレート６３がスプリンクラーヘッド５９に装着される構成であったが、特許文献２記載のようにスプリンクラーヘッドとシーリングプレートとがネジ構造で接続する場合には、スプリンクラーヘッド外周部に刻設された螺旋溝に沿ってシーリングプレートを回転させなければならず、シーリングプレートと保持部を供回り可能に構成する必要がある。
【０００８】
上記の図７に示すものと特許文献２に記載されたものはスプリンクラーヘッドとシーリングプレートとの係合構造が異なるものであるが、係合構造やシーリングプレートの形状毎に取付工具が存在すると、作業者は複数種類の工具を準備しなければならず不便であった。
【先行技術文献】
【特許文献】
【０００９】
【特許文献１】登録実用新案第３０２７９８５号公報
【特許文献２】特開２００５−３０４７１０号公報
【発明の概要】
【発明が解決しようとする課題】
【００１０】
そこで本発明では、上記問題に鑑み、シーリングプレートの筒部の高さ寸法の違いや、シーリングプレートとスプリンクラーヘッドとの接続構造が異なる場合でも一つの取付工具を用いて取付作業を行うことができる取付工具を提供することを目的としている。
【課題を解決するための手段】
【００１１】
上記の目的を達成するために、本発明は以下のスプリンクラーヘッド付属品取付工具を提供する。
すなわち、筒状をした本体と、本体の上部に形成されシーリングプレートが載置されるフランジ状の保持部と、本体の下部には棒状部材との接続部とを備えており、本体にシーリングプレートを目視可能な開口を形成したスプリンクラーヘッド付属品取付工具である。
【００１２】
これによれば、本体に形成された開口から保持部に載置されたシーリングプレートを目視できる。またシーリングプレートをスプリンクラーヘッドに近づけたときに開口からスプリンクラーヘッドを目視できるので、シーリングプレートとスプリンクラーヘッドの位置合わせ作業が容易になり、シーリングプレートの筒部の高さ寸法の違いに関わらず本発明のスプリンクラーヘッド付属品取付工具によって取付作業を行うことができる。
【００１３】
前記本発明については、前記開口を、本体の側面または底面に形成して構成可能である。これによれば、作業者がスプリンクラーヘッドの斜め下方に立って作業する場合、本体の側面に形成した開口からスプリンクラーヘッドの位置を目視認識しやすい。また作業者がスプリンクラーヘッドの真下に立って作業する場合には、本体の底面に形成した開口からスプリンクラーヘッドの位置を目視確認しやすい。開口は、本体の側面から底面に連続して形成することも可能である。
【００１４】
また本発明は、筒状をした本体と、本体の上部に形成されシーリングプレートが載置されるフランジ状の保持部と、本体の下部には棒状部材との接続部を備えており、保持部の表面に弾性を有する軟質部材が設置されているスプリンクラーヘッド付属品取付工具である。
【００１５】
これによれば、保持体の上に載置されたシーリングプレートが軟質部材と密着して本体と供回り可能に構成することができ、前述の特許文献２に記載されたシーリングプレートに対応可能となる。また、保持部にシーリングプレートの皿状部を載置した状態において保持部と皿状部との間に隙間が生じていても、シーリングプレートをスプリンクラーヘッドに押し込む際に軟質部材の弾性によって前記隙間を吸収して保持部上にシーリングプレートの皿状部を密着させることができる。
【００１６】
前記本発明については、軟質部材の表面に凹凸を有して構成することができる。これによれば、保持体に載置されるシーリングプレートの皿状部がテーパー状に傾斜している場合でも軟質部材の凹凸が変形することで皿状部を軟質部材に密着させることができ、さらにシーリングプレートと保持部を供回りさせることができる。
【発明の効果】
【００１７】
以上説明したように本発明によれば、シーリングプレートの筒部の高さ寸法の違いや、シーリングプレートとスプリンクラーヘッドとの接続構造が異なる場合でも一つの取付工具を用いて取付作業を行うことができる取付工具を実現することができる。さらに本体に設けた開口によってスプリンクラーヘッドとシーリングプレートとの位置調整が容易となり、シーリングプレート取付作業の作業効率を向上させることができる。
【図面の簡単な説明】
【００１８】
【図１】（ａ）本発明のスプリンクラーヘッド付属品取付工具の平面図、（ｂ）本発明のスプリンクラーヘッド付属品取付工具の正面図
【図２】図１の本体部分の拡大断面図とシーリングプレートの断面図
【図３】（ａ）シーリングプレートを保持部に載置した状態の断面図、（ｂ）シーリングプレートを保持部に載置してスプリンクラーヘッドに押し込んだ状態の断面図
【図４】軟質部材の表面に突起を形成した実施形態の断面図
【図５】ネジ接続構造のスプリンクラーヘッドとシーリングプレートの正面図
【図６】図５のスプリンクラーヘッドとシーリングプレートとの取付時の正面図
【図７】従来の取付工具、シーリングプレートの斜視図
【発明を実施するための最良の形態】
【００１９】
本発明のスプリンクラーヘッド付属品取付工具Ｈ（以下、「取付工具Ｈ」とする）は、本体１、棒状部材２から構成される。
【００２０】
本体１は筒状をしており、上部の端面にはシーリングプレートＣ１の皿状部２１が載置可能な保持部３が形成されている。保持部３はフランジ状をしており、本体１の中心軸Ａに向かって下方に傾斜した傾斜面３Ａを有する。保持部３の外縁部３Ｂは上方に立ち上がって形成されており、シーリングプレートＣ１が保持部３から脱落しないように構成している。
【００２１】
保持部３の傾斜面３Ａには軟質部材４が貼付されている。軟質部材４は弾性を有する部材から構成される。軟質部材４はシーリングプレートＣ１の材質よりも柔らかい部材を用いるのが好ましい。軟質部材４は具体的にはウレタンやスポンジなどの樹脂や発泡部材、あるいは二トリルゴムやシリコーンゴム等のゴム材料が用いられる。
【００２２】
図２に示す軟質部材４は環状をしており、傾斜面３Ａを覆うように貼付されている。これ以外の構成として、小片状の軟質部材４を傾斜面３Ａの複数個所に設置して構成することも可能である。あるいは保持部３の表面を軟質部材４でコーティングすることにより構成することも可能である。
【００２３】
図２および図３に示すように、シーリングプレートＣ１の皿状部２１の傾斜角度αと保持部３の傾斜面３Ａの傾斜角度θが異なる場合でも、本発明の取付工具Ｈを用いてシーリングプレートＣ１をスプリンクラーヘッドＳ１に取付けることができる。具体的に説明すると、シーリングプレートＣ１をスプリンクラーヘッドＳ１に押し込んで取付ける際に、皿状部２１に押圧されて軟質部材４が弾性変形する。図３（ｂ）に示すように軟質部材４の弾性変形によって傾斜角度の差を吸収することができる。
【００２４】
また、軟質部材４の表面に凹凸を形成して構成することも可能である。例えば図４に示すように球状の突起４Ａが表面に形成された軟質部材４を用いると、上記の効果のほかに突起４Ａの先端で皿状部２１を押圧するので滑り止め効果が向上する。
【００２５】
上記に説明した軟質部材４により、本発明の取付工具Ｈは複数種類のシーリングプレートに適用することができる。具体的に説明すると、軟質部材４の弾性により傾斜角度の差を吸収することができるので、シーリングプレートＣ１とは傾斜角度が異なるシーリングプレートについても取付工具Ｈを適用することができる。また、シーリングプレートＣ１よりも外径が小さいシーリングプレートについて、軟質部材４や外縁部３Ｂによって本体１からの脱落を防止できるので取付工具Ｈを適用可能である。
【００２６】
さらに、軟質部材４によってシーリングプレートを本体１と供回り可能に構成することができる。これにより後述する図５に示すスプリンクラーヘッドＳ２とシーリングプレートＣ２とがネジ構造により接続するタイプのものにも本発明の取付工具Ｈを適用することができる。
【００２７】
本体１の保持部３より下方には複数の開口５が形成されている。図１に示す開口５は本体１の側面１Ａから底面１Ｂに連続して４箇所形成されている。開口５により、棒状部材２を手で握って操作している作業者から開口５を通して天井に設置されているスプリンクラーヘッドＳ１の位置や保持部３に載置されているシーリングプレートＣ１の筒部２２の位置を目視確認することができる。
【００２８】
これにより、筒部２２の高さ寸法が低くてもシーリングプレートＣ１をスプリンクラーヘッドＳ１に取り付ける作業を効率的に行うことができ作業者の負担を軽減することができる。
【００２９】
本体１の底面１Ｂには棒状部材２との接続部６が備えられている。接続部６は本体１よりも外周径が小径である筒状をしており、内部には牝ネジ６Ａが螺刻されている。牝ネジ６Ａは棒状部材２の端部に形成された牡ネジ（図示しない）と螺合する。
【００３０】
棒状部材２は、前述のように本体１の接続部６に接続される。本実施形態では棒状部材２の一端側に本体１を設置してシーリングプレートＣ１をスプリンクラーヘッドＳ１に取付可能な工具としているが、棒状部材２の他端側に登録実用新案第３０２７９８５号公報に記載されている保護キャップ除去具を設置することができる。
【００３１】
図２および図３に示すシーリングプレートＣ１は、皿状部２１と筒部２２とから成り、皿状部２１によってスプリンクラーヘッドＳ１と天井穴２３との間の隙間を隠す。筒部２２はスプリンクラーヘッドＳ１の外周面に形成された溝や突起と係合可能な係合構造を有する。図３においてはスプリンクラーヘッドＳ１の本体外周面に形成された環状溝２４と、筒部２２の内周面に形成された環状突起２５とが係合可能に形成されている。
【００３２】
次に本発明の取付工具Ｈを用いてスプリンクラーヘッドＳ１にシーリングプレートＣ１を取付ける手順を説明する。
【００３３】
まず、図３（ａ）のように本体１の保持部３の上にシーリングプレートＣ１の皿状部２１を載置する。その状態で作業者は棒状部材２を手に持ち、本体１を天井に設置されているスプリンクラーヘッドＳ１に近づける。本体１の開口５からスプリンクラーヘッドＳ１の位置を目視確認して、スプリンクラーヘッドＳ１とシーリングプレートＣ１が同軸となるように位置を調整する。
【００３４】
その後、取付工具Ｈを上方に押し上げてシーリングプレートＣ１の筒部２２をスプリンクラーヘッドＳ１に押し込む（図３（ｂ）参照）。すると筒部２２内の環状突起２５とスプリンクラーヘッドＳ１の環状溝２４が係止され、スプリンクラーヘッドＳ１とシーリングプレートＣ１が係合する。さらに取付工具Ｈを押し上げ、皿状部２１を天井面２６に近接する位置まで移動する。シーリングプレートＣ１がスプリンクラーヘッドＳ１に取付られたことを確認して作業を終了する。
【００３５】
上記のスプリンクラーヘッドＳ１とシーリングプレートＣ１は、溝と突起により係合する構造であったが、図５のスプリンクラーヘッドＳ２とシーリングプレートＣ２はネジ接合により係合する構造となっている。具体的にはスプリンクラーヘッドＳ２の外周面に形成された螺旋溝３１と、シーリングプレートＣ２の筒部３２の内周面に設けられた複数の突起３３が螺旋溝３１に沿って移動することで皿状部３４の位置を位置調整する。
【００３６】
図５のシーリングプレートＣ２を本発明の取付工具Ｈを用いてスプリンクラーヘッドＳ２に取付けるためには取付工具ＨとシーリングプレートＣ１を供回りさせなければならない。以下、取付工具Ｈを用いて図５のスプリンクラーヘッドＳ２にシーリングプレートＣ２を取付ける手順を説明する。
【００３７】
まず本体１の保持部３の上にシーリングプレートＣ２の皿状部３４を載置してから、取付工具Ｈを上方に押し上げてシーリングプレートＣ２の筒部３２をスプリンクラーヘッドＳ２に押し込むまでの手順は先に説明した図３のものと同じ手順である。
【００３８】
図６に示すように、シーリングプレートＣ２の筒部３２をスプリンクラーヘッドＳ２に押し込むと、筒部３２内の突起３３がスプリンクラーヘッドＳ２の螺旋溝３１と係合する。その状態で取付工具Ｈを回転させると、保持部３の表面に設けた軟質部材４が皿状部３４と密着して滑り止めとなり、シーリングプレートＣ２が本体１と供回りしてシーリングプレートＣ２の筒部３２の突起３３が螺旋溝３１に沿って移動する。さらに皿状部３４を天井面に近接する位置まで移動させ、皿状部３４の位置を確認して作業を終了する。
【００３９】
以上説明したように、本発明の取付工具Ｈ一つで複数種類のシーリングプレートの取付作業を行うことができ、作業者がシーリングプレートの種類ごとに取付工具を準備する負担を軽減できるものである。また、軟質部材４はシーリングプレートＣ１、Ｃ２の材質より柔らかい材質で形成されているのでシーリングプレートを軟質部材４に押圧した場合にシーリングプレートの表面に傷が付くことを防止できる。
【００４０】
また、本体１の内部に電灯やＬＥＤ照明、ケミカルライト等の発光部材を設置することで、取付工具Ｈやシーリングプレートの位置を天井面２６に映った光で確認することができる。特に天井付近が暗い場合には目視認識しやすくなる効果がある。
【符号の説明】
【００４１】
１  本体  
２  棒状部材  
３  保持部  
４  軟質部材  
５  開口  
６  接続部  
Ｈ  取付工具  
Ｃ１、Ｃ２  シーリングプレート
Ｓ１、Ｓ２  スプリンクラーヘッド
【図１】
2015029663.tif 000003
【図２】
2015029663.tif 000004
【図３】
2015029663.tif 000005
【図４】
2015029663.tif 000006
【図５】
2015029663.tif 000007
【図６】
2015029663.tif 000008
【図７】
2015029663.tif 000009